(57)【要約】【課題】患者に合わせてオーダーメイドと成り、時間とコストがかかるものと成っており、突然発生する膝関節の疾患に直ぐ対処できないく、又、屈曲に伴う微妙な膝関節の動きに対処できない。【解決手段】本発明は大腿部用主ベルト１と下腿部用主ベルト２と外側主当接部材３と外側補助当接部材５と内側当接部材６と大腿部用補助ベルト７と下腿部用補助ベルト８とを備え、外側主当接部材は上方外側当接部と下方外側当接部とを枢着し、下方外側当接部には横方向角度調整手段９を設け、外側補助当接部材は上方外側補助当接部と下方外側補助当接部との間に中間外側補助当接部を介装し、中間外側補助当接部と下方外側補助当接部とは枢着すると共に、中間外側補助当接部と上方外側補助当接部とは枢着し、内側当接部材は上方内側当接部と下方内側当接部との間に中間内側当接部を枢動ピンで枢着した。【選択図】図１
2004167175.tif 000002
【特許請求の範囲】
【請求項１】
膝関節の周囲に捲着して歩行を補助する膝関節用歩行補助具であって、適宜な伸縮性と柔軟性とを有した材料で形成された大腿部に捲着する帯状の大腿部用主ベルトと、該大腿部用主ベルトと平行に且つ間隔を有して下腿部に捲着する適宜な伸縮性と柔軟性とを有した材料で形成された帯状の下腿部用主ベルトと、上端を大腿部用主ベルトに下端を下腿部用主ベルトに固定し膝関節の外側の上下方向に当接させる外側主当接部材と、該外側主当接部材の内側に枢動軸で枢動可能に枢着した外側補助当接部材と、該外側補助当接部材と対峙させて膝関節の内側の上下方向に当接させる内側当接部材と、該内側当接部材と前記外側補助当接部材の夫々の上下端辺を接続する大腿部用補助ベルトと下腿部用補助ベルトとを備え、前記外側主当接部材は上方外側当接部と下方外側当接部との夫々の基端を枢動可能に前記枢動軸で枢着すると共に膝関節の外側の形状と合致するように緩いＳ字状に形成し、前記下方外側当接部には略中央位置を分断してネジによって横方向の角度を調節できる横方向角度調整手段を設け、前記外側補助当接部材は上方外側補助当接部と下方外側補助当接部との間に中間外側補助当接部を介装し、該中間外側補助当接部と下方外側補助当接部とは枢動ピンで枢動可能に枢着すると共に、前記中間外側補助当接部と上方外側補助当接部とは前記枢動軸で前記外側主当接部材の内側に枢動可能に枢着し、前記内側当接部材は上方内側当接部と下方内側当接部との間に中間内側当接部を介装して夫々枢動ピンで枢動可能に枢着したことを特徴とする膝関節用歩行補助具。
【発明の詳細な説明】
【０００１】
【発明の属する技術分野】
本発明は膝関節用の歩行補助具に関するものであり、更に、詳細には、膝関節に疾患を有する患者が歩行する際に、疼痛を大幅に軽減させて楽に歩行することができ、フリーサイズで誰にでもしっかりとフィットする膝関節の歩行補助具に関するものである。
【０００２】
【従来枝術】
従来、この種の膝関節の歩行補助具は各種開発され使用されており、膝関節に疾患を有する者は夫々恩恵を受けているが、歩行の際は膝関節を前後方向に屈曲させながら歩行するもので、そのため、屈曲する膝関節の中心位置と屈曲する歩行保持具の角度が一致しないと不具合であり顕著な効果を得ることができず、患者一人ひとりの膝関節近傍のサイズ、形状に合わせて制作するものであった。
【０００３】
その為に、膝関節の屈曲させる中心位置の外側に枢動自在に枢着された添え板の枢動中心を当接して大腿部と下退部とを夫々ベルトによって捲着した歩行補助具を提案した。（特許文献１参照）
【０００４】
【特許文献１】
実用新案登録第３０８０７２７号公報
【０００５】
【発明が解決しようとする課題】
然し乍ら、個々の患者に合わせて制作するためにはオーダーメイドと成り、制作に時間を要すると共に、制作コストがかかるものと成っており、突然発生する膝関節の疾患に直ぐ対処できないもので、又、膝関節の外側の屈曲の中心位置に枢動する添え板の枢動中心を当接したものは、屈曲に伴う微妙な膝関節の動きに対処できず、捲着しているベルトがずれて全体の位置が移動して、膝関節の他の部位に負担がかかったりして課題を有している。
【０００６】
【課題を解決するための手段】
本発明の膝関節用歩行補助具は、前述の課題に鑑みて、鋭意研鑽の結果、大腿部に捲着する大腿部用主ベルトと、大腿部用主ベルトと平行に且つ間隔を有して下腿部に捲着する下腿部用主ベルトと、上端を大腿部用主ベルトに下端を下腿部用主ベルトに固定した外側主当接部材と、外側主当接部材の内側に枢動軸で枢着した外側補助当接部材と、外側補助当接部材と対峙させる内側当接部材と、内側当接部材と外側補助当接部材の上下端辺を接続する大腿部用補助ベルトと下腿部用補助ベルトとを備え、外側主当接部材は上方外側当接部と下方外側当接部との基端を枢動軸で枢着すると共に緩いＳ字状に形成し、下方外側当接部にはネジによって横方向の角度を調節できる横方向角度調整手段を設け、外側補助当接部材は上方外側補助当接部と下方外側補助当接部との間に中間外側補助当接部を介装し、中間外側補助当接部と下方外側補助当接部とは枢動ピンで枢着すると共に、中間外側補助当接部と上方外側補助当接部とは枢動軸で外側主当接部材の内側に枢着し、内側当接部材は上方内側当接部と下方内側当接部との間に中間内側当接部を介装して枢動ピンで枢着したものである。
【０００７】
【発明の作用】
本発明の膝関節用歩行補助具は、大腿部用主ベルトと下腿部用主ベルトとの間に外側主当接部材を備え、外側主当接部材には上方外側当接部と下方外側当接部とを設け枢動軸で枢動可能に枢着させると共に、枢着軸には外側補助当接部材を枢動可能に枢着させることによって、外側主当接部材の上方外側当接部と下方外側当接部と外側補助当接部材とは夫々別々に自在に枢動することができ、更に、前記下方外側当接部にはネジによって横方向の角度を調節できる横方向角度調整手段を設けたことによって、横方向の角度の調整が可能となり、更には、大腿部用補助ベルトと下腿部用補助ベルトとの間に外側補助当接部材と内側当接部材とを設け、外側補助当接部材及び内側当接部材とは上方外側補助当接部と中間外側補助当接部と下方外側補助当接部及び上方内側当接部と中間内側当接部と下方内側当接部とを備えているために、夫々が制約を受けることなく自在に枢動できることから膝関節の微妙な動きに追従できるものである。
【０００８】
従って、本発明の目的は、歩行の際の膝関節の微妙な動きに追従でき、膝関節に疾患を有する患者の疼痛を激減すると共に、サイズや形状の異なった夫々の患者にも直ぐにフィットさせることができる膝関節用歩行補助具を提供するものである。
【０００９】
【発明の実施の形態】
以下、本発明の膝関節用歩行補助具を実施の形態の図面に基づいて説明する。
【００１０】
図１は本発明の膝関節用歩行補助具の実施の形態の概要を説明するための装着状態の外側説明図であり、図２は本発明の膝関節用歩行補助具の実施の形態の概要を説明するための装着状態の内側説明図であり、図３は本発明の膝関節用歩行補助具の実施の形態の要部を断面とした側面図である。
【００１１】
本発明は膝関節用の歩行補助具に関するものであり、更に、詳細には、膝関節に疾患を有する患者が歩行する際に、疼痛を大幅に軽減させて楽に歩行することができ、フリーサイズで誰にでもしっかりとフィットする膝関節の歩行補助具に関するものであり、膝関節Ａの周囲に捲着して歩行を補助する膝関節用歩行補助具であって、適宜な伸縮性と柔軟性とを有した材料で形成された大腿部Ｂに捲着する帯状の大腿部用主ベルト１と、該大腿部用主ベルト１と平行に且つ間隔を有して下腿部Ｃに捲着する適宜な伸縮性と柔軟性とを有した材料で形成された帯状の下腿部用主ベルト２と、上端を大腿部用主ベルト１に下端を下腿部用主ベルト２に固定し膝関節Ａの外側の上下方向に当接させる外側主当接部材３と、該外側主当接部材３の内側に枢動軸４で枢動可能に枢着した外側補助当接部材５と、該外側補助当接部材５と対峙させて膝関節Ａの内側の上下方向に当接させる内側当接部材６と、該内側当接部材６と前記外側補助当接部材５の夫々の上下端辺を接続する大腿部用補助ベルト７と下腿部用補助ベルト８とを備え、前記外側主当接部材３は上方外側主当接部３ａと下方外側主当接部３ｂとの夫々の基端を枢動可能に前記枢動軸４で枢着すると共に膝関節Ａの外側の形状と合致するように緩いＳ字状に形成し、前記下方外側主当接部３ｂには略中央位置を分断してネジ９ａによって横方向の角度を調節できる横方向角度調整手段９を設け、前記外側補助当接部材５は上方外側補助当接部５ａと下方外側補助当接部５ｂとの間に中間外側補助当接部５ｃを介装し、該中間外側補助当接部５ｃと下方外側補助当接部５ｂとは枢動ピン５ｄで枢動可能に枢着すると共に、前記中間外側補助当接部５ｃと上方外側補助当接部５ａとは前記枢動軸４で前記外側主当接部材３の内側に枢動可能に枢着し、前記内側当接部材６は上方内側当接部６ａと下方内側当接部６ｂとの間に中間内側当接部６ｃを介装して夫々枢動ピン６ｄで枢動可能に枢着したものである。
【００１２】
即ち、本発明の膝関節用歩行補助具は、装着する患者の膝関節Ａ及びその近傍の形状、サイズに関係なく、誰でも容易に膝関節Ａにフィットさせて捲着し歩行を補助することのできるものであり、図１乃至図２に図示する如く、大腿部用主ベルト１と下腿部用主ベルト２と外側主当接部材３と外側補助当接部材５と内側当接部材６と大腿部用補助ベルト７と下腿部用補助ベルト８とから成るものである。
【００１３】
そして、大腿部用主ベルト１は大腿部Ｂに捲着する帯状のもので、両端辺には大腿部Ｂに捲着して装着するための面ファスナー（図示しない）を取着している適宜な伸縮性と柔軟性を有したパイル地等の柔軟な材料で形成されているものである。
【００１４】
次に、下腿部用主ベルト２は下腿部Ｃに捲着する帯状のもので、大腿部用主ベルト１と同様に両端辺に面ファスナー（図示しない）を取着している適宜な伸縮性と柔軟性を有した大腿部用主ベルト１と同一の材料で形成されており、前記大腿部用主ベルト１と平行に且つ間隔を有して下腿部Ｃに捲着するものである。
【００１５】
次に、外側主当接部材３は耐久性と弾性復元力が強いポリエチレン等の合成樹脂が好適で上端を大腿部用主ベルト１に下端を下腿部用主ベルト２に固定しているもので、大腿部用主ベルト１と下腿部用主ベルト２とに袋状部を形成し、該袋状部の開口から挿通させて接着又はビス止め等の手段で固定しており、膝関節Ａの外側の上下方向に当接させる後述する枢動可能に接続した上方外側主当接部３ａと下方外側主当接部３ｂ、及び、横方向角度調整手段９を設けているものである。
【００１６】
次いで、外側補助当接部材５はポリエチレン等の合成樹脂で形成され、上下の端部を後述する大腿部用補助ベルト７と下腿部用補助ベルト８とに固定すると共に、外側主当接部材３の内側に枢動軸４で枢動可能に枢着しているものである。
【００１７】
更に、内側当接部材６は前記外側主当接部材３と前記外側補助当接部材５と同様なポリエチレン等の合成樹脂で形成されており、上下の端部は後述する大腿部用補助ベルト７と下腿部用補助ベルト８とに固定されており、装着時には膝関節Ａの内側の上下方向に当接させるものである。
【００１８】
更には、大腿部用補助ベルト７と下腿部用補助ベルト８とは大腿部用主ベルト１と下腿部用主ベルト２と同様なパイル地等の材料で形成しているもので、適宜な伸縮性と柔軟性とを有している帯状のものであり、先端辺には位置を自在に装着できるように面ファスナー（図示しない）が取着されているもので、内側当接部材６の上下の端部とはビス止め又は鳩目等の手段によって固定され、外側補助当接部材５とは長さ調整手段を介装して接続されるものである。
【００１９】
そして、外側主当接部材３は図１に図示する如く略中央位置で上方外側主当接部３ａと下方外側主当接部３ｂと分断されており、上方外側主当接部３ａの下方と下方外側主当接部３ｂの上方とは枢動可能に枢動軸４で枢着されると共に、膝関節Ａの外側の形状と合致するように緩いＳ字状に形成しているものである。
【００２０】
次に、横方向角度調整手段９は下方外側主当接部３ｂの略中央位置を分断して、分断した近辺を重合させて下端辺をビス９ｂ又は鳩目で固定すると共に、上方辺にネジ孔を螺設し、ネジ９ａを螺合させてネジ９ａを回動させることによって上方の隙間を大きくしたり小さくしたりして横方向の角度を調節するものである。
【００２１】
次いで、外側補助当接部材５は上方外側補助当接部５ａと中間外側補助当接部５ｃと下方外側補助当接部５ｂとによって構成されるものであり、上方外側補助当接部５ａの下方と中間外側補助当接部５ｃの上方とは前記枢動軸４で外側主当接部材３の内側に夫々枢動可能に枢着されており、中間外側補助当接部５ｃの下方と下方外側補助当接部５ｂの上方とは枢動ピン５ｄで枢動可能に枢着されているものである。
【００２２】
つまり、外側主当接部材３の上方外側主当接部３ａと下方外側主当接部３ｂと、外側補助当接部材５の上方外側補助当接部５ａと中間外側補助当接部５ｃとは１本の枢動軸４で夫々が制約されることなく枢動可能に枢着されているものである。
【００２３】
次に、内側当接部材６は上方内側当接部６ａと中間内側当接部６ｃと下方内側当接部６ｂとによって構成されるものであり、上方内側当接部６ａの下方と中間内側当接部６ｃの上方と、中間内側当接部６ｃの下方と下方内側当接部６ｂの上方とは夫々枢動ピン５ｄで枢動可能に枢着されているものである。
【００２４】
本発明の膝関節用歩行補助具の装着は、外側補助当接部材５を膝関節Ａの外側に当接して、内側当接部材６を膝関節Ａの内側に当接して、大腿部用補助ベルト７と下腿部用補助ベルト８とを外側補助当接部材５に設けたＤカンと呼ばれる長さ調整手段によって、長さを調整しながら面ファスナーで取着するものである。
【００２５】
そして、大腿部用主ベルト１の長さを調整しながら面ファスナーで捲着固定し、下腿部用主ベルト２を長さを調整しながら面ファスナーで捲着固定するものであり、すると外側主当接部材３の枢動軸４は膝関節Ａの屈曲の中心に位置するもので、横方向の外側主当接部材３の調整は横方向角度調整手段９のネジ９ａを回動させることで行うものである。
【００２６】
【発明の効果】
本発明の膝関節用歩行補助具は前述の構成により、大腿部用主ベルトと下腿部用主ベルトとの間に外側主当接部材を備え、外側主当接部材には上方外側主当接部と下方外側主当接部とを設け枢動軸で枢動可能に枢着させると共に、枢着軸には外側補助当接部材を枢動可能に枢着させることによって、外側主当接部材の上方外側主当接部と下方外側主当接部と外側補助当接部材とは夫々別々に自在に枢動することができ、更に、前記下方外側当接部にはネジによって横方向の角度を調節できる横方向角度調整手段を設けたことによって、横方向の角度の調整が可能となり、更には、大腿部用補助ベルトと下腿部用補助ベルトとの間に外側補助当接部材と内側当接部材とを設け、外側補助当接部材及び内側当接部材とは上方外側補助当接部と中間外側補助当接部と下方外側補助当接部及び上方内側当接部と中間内側当接部と下方内側当接部とを備えているために、夫々が制約を受けることなく自在に枢動できることから膝関節の微妙な動きに追従できると共に、患者の膝関節近傍のサイズや形状に関係なくフィットさせるものであり、極めて実用性の高い発明である。
【図面の簡単な説明】
【図１】図１は本発明の膝関節用歩行補助具の実施の形態の概要を説明するための装着状態の外側説明図である。
【図２】図２は本発明の膝関節用歩行補助具の実施の形態の概要を説明するための装着状態の内側説明図である。
【図３】図３は本発明の膝関節用歩行補助具の実施の形態の要部を断面とした側面図である。
【符号の説明】
Ａ      膝関節
Ｂ      大腿部
Ｃ      下腿部
１      大腿部用主ベルト
２      下腿部用主ベルト
３      外側主当接部材
３ａ    上方外側主当接部
３ｂ    下方外側主当接部
４      枢動軸
５      外側補助当接部材
５ａ    上方外側補助当接部
５ｂ    下方外側補助当接部
５ｃ    中間外側補助当接部
５ｄ    枢動ピン
６      内側当接部材
６ａ    上方内側当接部
６ｂ    下方内側当接部
６ｃ    中間内側当接部
６ｄ    枢動ピン
７      大腿部用補助ベルト
８      下腿部用補助ベルト
９      横方向角度調整手段
９ａ    ネジ
９ｂ    ビス
【図１】
2004167175.tif 000003
【図２】
2004167175.tif 000004
【図３】
2004167175.tif 000005